(57)【要約】【課題】ユーザに不都合を生じさせることなく経費削減を行うことが出来るものを提供することを目的とする。  【解決手段】画像形成装置が、カラー画像形成及びモノクロ画像形成を実行する画像形成部を有する画像形成装置であって、カラー画像形成上限枚数を超えるカラー画像形成指示を受け付けると、前記カラー画像形成上限枚数を超えるカラー画像形成分を画像形成部にモノクロ画像形成させる制御部とを、具備する。【選択図】図２
2010076348.tif 000002
【特許請求の範囲】
【請求項１】
カラー画像形成及びモノクロ画像形成を実行する画像形成部を有する画像形成装置であって、
カラー画像形成上限枚数を超えるカラー画像形成指示を受け付けると、前記カラー画像形成上限枚数を超えるカラー画像形成分を画像形成部にモノクロ画像形成させる制御部とを、具備することを特徴とする画像形成装置。
【請求項２】
前記制御部は、前記カラー画像形成上限枚数を、周期的に自動で設定し直すことを特徴とする請求項１に記載の画像形成装置。
【請求項３】
前記制御部は、カラー画像形成された枚数を集計し、当該集計の集計結果に基づいてカラー画像形成上限枚数を、周期的に自動で設定し直すことを特徴とする請求項２に記載の画像形成装置。
【請求項４】
前記制御部は、カラー画像形成された枚数を集計し、当該集計の集計結果に基づいて、カラー画像形成された枚数が前記カラー画像形成上限枚数を下回る場合に、当該カラー画像形成された枚数を新たなカラー画像形成上限枚数に設定することを特徴とする請求項３に記載の画像形成装置。
【請求項５】
前記制御部は、カラー画像形成された枚数を集計し、当該集計の集計結果に基づいて、カラー画像形成された枚数が前記カラー画像形成上限枚数を所定のしきい値以上回る場合に、カラー画像形成上限枚数を下げることを特徴とする請求項３または４に記載の画像形成装置。
【発明の詳細な説明】
【技術分野】
【０００１】
本発明は、画像形成装置に関する。
【背景技術】
【０００２】
近年、複合機及び複写機等の画像形成装置には、画像形成における経費削減を目的として、個人または部門毎の画像形成枚数の集計機能を設けることで管理者による画像形成枚数の一元管理を容易にするものや、個人、部門または業務内容に応じて画像形成における上限枚数を設定する機能を設け、上限枚数を超える画像形成が実行された時点で画像形成を中止することによって、画像形成枚数を強制的に制限するものが存在する。
そして、このような画像形成における経費削減を目的とするものとして、下記特許文献１には、通信によって画像処理装置における利用制限を細かく設定することのできる情報処理装置、情報処理方法、及び情報処理プログラムが開示されている。
【０００３】
この情報処理装置では、上限設定画面を表示し、この上限設定画面におけるカラー印刷上限枚数入力フィールドと、モノクロ印刷上限枚数入力フィールドに入力されたカラー印刷上限枚数及びモノクロ印刷上限枚数に基づいて、カラー印刷及びモノクロ印刷の上限枚数を設定し、さらに、上限設定画面における設定ボタンが押下されると上限オーバ印刷許可／不許可画面を表示し、この上限オーバ印刷許可／不許可画面に入力された設定値に基づいて、カラー印刷及びモノクロ印刷のそれぞれの上限枚数を越える印刷を許可するか否か設定する。そして、情報処理装置は、上限枚数を越える印刷要求を受け付けると、上限枚数を越える印刷が許可されている場合には、印刷を実行すると共に管理者へ通知を行い、上限枚数を越える印刷が許可されていない場合には、強制的に印刷を中止する。
【特許文献１】特開２００６−３５１０３８号公報
【発明の開示】
【発明が解決しようとする課題】
【０００４】
ところで、上記従来技術では、上限枚数を越えるカラー印刷またはモノクロ印刷を要求する印刷要求を受け付けると、カラー印刷またはモノクロ印刷を実行すると共に管理者へ通知を行う、またはカラー印刷またはモノクロ印刷を強制的に中止している。しかしながら、上記従来技術のように、強制的に印刷を中止してしまうと、ユーザに大きな不都合を生じさせてしまう恐れがある。
【０００５】
ユーザは常に印刷枚数を把握、または確認しているとは限らない為、例えば急に書類を印刷しなければならない場合に、強制的に印刷が中止されてしまうと、書類の印刷が間に合わない事態が生じてしまう恐れがある。つまり、上記従来技術には、強制的に印刷を中止することによって、ユーザに生じる不都合を防止するという観点から、改善の余地が残されている。
【０００６】
本発明は、上述した事情に鑑みてなされたものであり、ユーザに不都合を生じさせることなく経費削減を行うことが出来るものを提供することを目的とする。
【課題を解決するための手段】
【０００７】
上記目的を達成するために、本発明では、画像形成装置に係る第１の解決手段として、カラー画像形成及びモノクロ画像形成を実行する画像形成部を有する画像形成装置であって、カラー画像形成上限枚数を超えるカラー画像形成指示を受け付けると、前記カラー画像形成上限枚数を超えるカラー画像形成分を画像形成部にモノクロ画像形成させる制御部とを、具備するという手段を採用する。
【０００８】
本発明では、画像形成装置に係る第２の解決手段として、上記第１の解決手段において、前記制御部は、前記カラー画像形成上限枚数を、周期的に自動で設定し直すという手段を採用する。
【０００９】
本発明では、画像形成装置に係る第３の解決手段として、上記第２の解決手段において、前記制御部は、カラー画像形成された枚数を集計し、当該集計の集計結果に基づいてカラー画像形成上限枚数を、周期的に自動で設定し直すという手段を採用する。
【００１０】
本発明では、画像形成装置に係る第４の解決手段として、上記第３の解決手段において、前記制御部は、カラー画像形成された枚数を集計し、当該集計の集計結果に基づいて、カラー画像形成された枚数が前記カラー画像形成上限枚数を下回る場合に、当該カラー画像形成された枚数を新たなカラー画像形成上限枚数に設定するという手段を採用する。
【００１１】
本発明では、画像形成装置に係る第５の解決手段として、上記第３または第４の解決手段において、前記制御部は、カラー画像形成された枚数を集計し、当該集計の集計結果に基づいて、カラー画像形成された枚数が前記カラー画像形成上限枚数を所定のしきい値以上回る場合に、カラー画像形成上限枚数を下げるという手段を採用する。
【発明の効果】
【００１２】
本発明によれば、画像形成装置が、カラー画像形成及びモノクロ画像形成を実行する画像形成部を有する画像形成装置であって、カラー画像形成上限枚数を超えるカラー画像形成指示を受け付けると、前記カラー画像形成上限枚数を超えるカラー画像形成分を画像形成部にモノクロ画像形成させる制御部とを具備することによって、上限枚数を超えた場合に印刷を中止されることがない為、ユーザの急な印刷を阻害されることもなく、またカラー印刷をモノクロ印刷に変更することによって、経費の高いカラー印刷の枚数を減らすことが出来る。
【００１３】
さらに、この画像形成装置において、制御部が、周期的に自動的にカラー画像形成上限枚数を設定し直すことによって、モノクロ印刷よりも経費のかかるカラー印刷の使用を控える努力を毎週ユーザに促すことが出来る為、従来よりも画像形成における経費削減を効果的に行うことが出来る。
【発明を実施するための最良の形態】
【００１４】
以下、図面を参照して、本発明の一実施形態について説明する。本発明の画像形成装置の一つである複写機能、印刷機能、ＦＡＸ送信／受信機能を併せ持つ複合機に関する。
図１は、本実施形態に係る複合機Ａによって構成された画像形成システムのシステム構成図である。  
この画像形成システムは、図１に示すように、複合機Ａ、ローカルエリアネットワークＢ及びクライアントコンピュータＣ‐1〜Ｃ‐ｎから構成されている。
【００１５】
複合機Ａは、ローカルエリアネットワークＢを介して、クライアントコンピュータＣ‐1〜Ｃ‐ｎに接続され、各クライアントコンピュータＣ‐1〜Ｃ‐ｎから受け付けた印刷指示に基づいて印刷処理を実行する。
ローカルエリアネットワークＢは、ＬＡＮ（Local Area Network）ケーブル及びＬＡＮハブ等によって構成され、複合機ＡとクライアントコンピュータＣ‐1〜Ｃ‐ｎとを接続する。このローカルエリアネットワークＢは、複合機ＡとクライアントコンピュータＣ‐1〜Ｃ‐ｎとの通信における伝送路である。
【００１６】
クライアントコンピュータＣ‐1〜Ｃ‐ｎは、デスクトップ型またはノート型のパーソナルコンピュータであり、キーボード及びマウス等の入力デバイスが受け付けたユーザの指示に基づいて、印刷指示を複合機ＡへローカルエリアネットワークＢを介して送信する。なお、図１のクライアントコンピュータＣ‐1〜Ｃ‐ｎは、複数台のクライアントコンピュータが、ローカルエリアネットワークＢを介して複合機Ａに接続していることを示す。
【００１７】
上記構成の画像形成システムにおける複合機Ａの機能構成について、図２を参照して、説明する。図２は、本実施形態に係る複合機Ａの機能ブロック図である。
複合機Ａは、ＣＰＵ(Central Processing Unit)１、ＲＯＭ(Read Only Memory)２、ＲＡＭ(Random Access Memory)３、各種センサ群４、用紙搬送部５、画像読取部６、画像データ記憶部７、画像形成部８、通信Ｉ／Ｆ部９、操作表示部１０及び記憶部１１を備えている。
【００１８】
ＣＰＵ１は、ＲＯＭ２に記憶されている制御プログラム、画像データ記憶部７に記憶されている原稿画像データ及び印刷画像データ、通信Ｉ／Ｆ部９を介してクライアントコンピュータＣ‐1〜Ｃ‐ｎから入力される各種指示及び操作表示部１０から入力される操作指示に基づいて複合機Ａの全体動作を制御する。なお、このＣＰＵ１の制御処理の詳細については、以下に複合機Ａの動作として説明する。
ＲＯＭ２は、ＣＰＵ１で実行される制御プログラム及びその他のデータを記憶する不揮発性メモリである。
【００１９】
ＲＡＭ３は、ＣＰＵ１が制御プログラムを実行して各種動作を行う際に、データの一時保存先となるワーキングエリアとして用いられる揮発性メモリである。
各種センサ群４は、例えば用紙切れ検出センサや、用紙詰まり検出センサ、用紙位置検出センサ、温度センサ等の画像形成動作に必要な各種センサであり、それぞれのセンサで検出した各種の情報を検出信号としてＣＰＵ１に出力する。
【００２０】
用紙搬送部５は、用紙トレイに収納されている印刷用紙を画像形成部８に搬送するための搬送ローラ及び搬送ローラ駆動用のモータや、画像形成処理後の印刷用紙を図示しない排紙トレイに搬送するための搬送ローラ及び搬送ローラ駆動用のモータなどから構成されている。
【００２１】
画像読取部６は、ＡＤＦ（自動原稿送り装置）とＣＣＤ(Charge Coupled Device)センサ等を備え、ＡＤＦによって順次給紙される原稿の画像をＣＣＤセンサに読み取らせ、原稿画像に基づく原稿画像データを出力する。なお、画像読取部６は、原稿画像データをＣＰＵ１に出力し、一方、ＣＰＵ１は、原稿画像データを画像データ記憶部７に記憶させる。
画像データ記憶部７は、例えばフラッシュメモリであり、ＣＰＵ１の指示の下、原稿画像データを記憶し、また通信Ｉ／Ｆ部９がクライアントコンピュータから受信する印刷画像データを記憶する。
【００２２】
画像形成部８は、ＣＰＵ１の制御の下、画像データ記憶部７に記憶されている原稿画像データまたは印刷画像データに基づいて、用紙搬送部５から搬送される印刷用紙にトナーによって形成される画像形成画像を転写し、当該画像形成画像の定着処理を行う。
通信Ｉ／Ｆ部９は、ローカルエリアネットワークＢを介してクライアントコンピュータＣ‐1〜Ｃ‐ｎに接続し、このクライアントコンピュータＣ‐1〜Ｃ‐ｎとの間で各種信号の送受信を行う。
【００２３】
操作表示部１０は、スタートキー、ストップキー、電源キー、テンキー（数値入力キー）、タッチパネル１０ａ、クリアキーやその他の各種操作キー、を備えており、それぞれのキーの操作指示をＣＰＵ１に出力すると共に、ＣＰＵ１の制御の下、タッチパネル１０ａに種々の画面を表示する。
記憶部１１は、不揮発性メモリであり、ＣＰＵ１による制御の下、印刷指示によって指示されたカラー印刷の枚数、また印刷指示によって指示されたモノクロ印刷の枚数を記憶する。
【００２４】
次に、上記複合機Ａの動作について、図３及び図４を参照して詳しく説明する。
まず、複合機Ａの印刷動作について、図３を参照して説明する。図３は、本実施形態に係る複合機Ａの印刷動作を示すフローチャートである。
まず、複合機Ａによって印刷しようとするユーザは、クライアントコンピュータＣ‐1〜Ｃ‐ｎにおけるキーボードまたはマウス等を操作することによって、印刷指示を複合機Ａへ送信する。
【００２５】
複合機ＡのＣＰＵ１は、クライアントコンピュータＣ‐1〜Ｃ‐ｎから印刷指示を通信Ｉ／Ｆ部９が受け付けたか否か判定し（ステップＳ１）、ステップＳ１において『ＮＯ』と判定した場合には、すなわちクライアントコンピュータＣ‐1〜Ｃ‐ｎから印刷指示を受け付けていない場合には、クライアントコンピュータＣ‐1〜Ｃ‐ｎから印刷指示を受け付けるまで待機し、ステップＳ１において『ＹＥＳ』と判定した場合には、すなわちクライアントコンピュータＣ‐1〜Ｃ‐ｎから印刷指示を受け付けた場合には、印刷指示に含まれる印刷画像データを画像データ記憶部７へ記憶させ、受け付けた印刷指示がカラー印刷を指示するものであるか否か判定する（ステップＳ２）。
【００２６】
ＣＰＵ１は、ステップＳ２において『ＮＯ』と判定した場合には、すなわち受け付けた印刷指示がモノクロ印刷を指示するものである場合には、画像データ記憶部７が記憶する当該印刷指示の印刷画像データに基づいて画像形成部８にモノクロ画像を画像形成用紙へ画像形成させる（ステップＳ３）。ＣＰＵ１は、ステップＳ２において『ＹＥＳ』と判定した場合には、すなわち受け付けた印刷指示がカラー印刷を指示するものである場合には、受け付けた印刷指示に基づくカラー印刷が1週間内の個人の上限枚数（カラー印刷上限枚数）を超えないか否か判定する（ステップＳ４）。なお、ＣＰＵ１は、印刷指示を送信したクライアントコンピュータＣ‐1〜Ｃ‐ｎのＩＰ（Internet Protocol）アドレスによって、印刷指示を送信した個人を識別する。
【００２７】
ＣＰＵ１は、ステップＳ４において『ＮＯ』と判定した場合には、すなわち受け付けた印刷指示に基づくカラー印刷が1週間内の個人の上限枚数を超える場合には、ステップＳ３において画像データ記憶部７が記憶する当該印刷指示の印刷画像データに基づいて画像形成部８にカラー印刷上限枚数を超えない分はカラー画像を画像形成させると共にカラー印刷上限枚数を超える分はモノクロ画像を画像形成用紙へ画像形成させる。
【００２８】
また、ＣＰＵ１は、ステップＳ４において『ＹＥＳ』と判定した場合には、すなわち受け付けた印刷指示に基づくカラー印刷が1週間内の個人毎の上限枚数を超える場合には、画像データ記憶部７が記憶する当該印刷指示の印刷画像データに基づいて画像形成部８にカラー画像を画像形成用紙へ画像形成させる（ステップＳ５）。
【００２９】
ＣＰＵ１は、上記ステップＳ３または上記ステップＳ５の後に、受け付けた印刷指示がカラー印刷を指示するものであるか否か判定する（ステップＳ６）、ステップＳ６において『ＮＯ』と判定した場合には、すなわち受け付けた印刷指示によってモノクロ印刷が指示されている場合には、１週間内に指示された個人毎のモノクロ印刷の枚数へステップＳ１において受け付けた印刷指示によって指示されたモノクロ印刷の枚数を加算した値（週間モノクロ印刷枚数）を記憶部１１に記憶させ（ステップＳ７）。
【００３０】
ＣＰＵ１は、ステップＳ６において『ＹＥＳ』と判定した場合には、すなわち受け付けた印刷指示がカラー印刷を指示するものである場合には、１週間内に指示された個人毎のカラー印刷の枚数へステップＳ１において受け付けた印刷指示によって指示されたカラー印刷の枚数を加算した値（週間カラー印刷枚数）を記憶部１１に記憶させる（ステップＳ８）。
【００３１】
次に、複合機Ａの上限枚数見直し動作について、図４を参照して説明する。図４は、本実施形態に係る複合機Ａの上限枚数見直し動作を示すフローチャートである。
ＣＰＵ１は、予め設定された所定の曜日の所定の時間になったか否か判定し（ステップＳ１１）、ステップＳ１１において『ＮＯ』と判定した場合には、すなわち予め設定された所定曜日の所定時間になっていないと判定した場合には、予め設定された所定の曜日の所定の時間になるまで待機し、ステップＳ１１において『ＹＥＳ』と判定した場合には、すなわち予め設定された所定曜日の所定時間になった場合には、過去１ヶ月分（４週間分）の週間カラー印刷枚数から、１週間に印刷指示によって指示されたカラー印刷の枚数の平均（平均カラー印刷枚数）を算出する（ステップＳ１２）。
【００３２】
ＣＰＵ１は、ステップＳ１２の後に、平均カラー印刷枚数がカラー印刷上限枚数を下回っている否か判定する（ステップＳ１３）、ステップＳ１３において『ＹＥＳ』と判定した場合には、すなわち平均カラー印刷枚数がカラー印刷上限枚数を下回っている場合には、平均カラー印刷枚数を新たなカラー印刷上限枚数に設定する（ステップＳ１４）。このように、上記ステップＳ１４においてカラー印刷上限枚数を下げることによって、カラー印刷の枚数を更に減らす努力をユーザへ促していく。
【００３３】
ＣＰＵ１は、ステップＳ１３において『ＮＯ』と判定した場合には、すなわち平均カラー印刷枚数がカラー印刷上限枚数を上回っている場合には、平均カラー印刷枚数がカラー印刷上限枚数の１．５倍を超えるか否か判定し（ステップＳ１５）、ステップＳ１５において『ＮＯ』と判定した場合には、すなわち平均カラー印刷枚数がカラー印刷上限枚数の１．５倍を超えない場合には、カラー印刷上限枚数を現状のままに設定する（ステップＳ１６）。
【００３４】
ＣＰＵ１は、ステップＳ１５において『ＹＥＳ』と判定した場合には、すなわち平均カラー印刷枚数がカラー印刷上限枚数の１．５倍を超える場合には、現在のカラー印刷上限枚数の０．９倍を新たなカラー印刷上限枚数に設定する（ステップＳ１７）。これは、平均カラー印刷枚数がカラー印刷上限枚数の１．５倍を超える場合は、ユーザが、カラー印刷とモノクロ印刷を意識して使い分けしていないと見なして、ステップＳ１６においてカラー印刷上限枚数を下げることによって、カラー印刷の枚数を、更に減らす努力をユーザへ促していく。
【００３５】
以上のように、本実施形態に係る複合機Ａにおいて、ＣＰＵが、カラー印刷を指示する印刷指示を受け付けた場合に、当該印刷指示によるカラー印刷によってカラー印刷上限枚数を超えてしまうと判断すると、印刷指示に含まれる画像データに基づいてカラー印刷上限枚数を超えない分はカラー画像を画像形成部８に画像形成させると共にカラー印刷上限枚を超える分はモノクロ画像を画像形成用紙へ画像形成させる。このことより、上限枚数を超えた場合に印刷を中止されることがない為、ユーザの急な印刷を阻害されることもなく、またカラー印刷をモノクロ印刷に変更することによって、経費の高いカラー印刷の枚数を減らすことが出来る。
【００３６】
さらに、複合機Ａにおいて、ＣＰＵが、予め設定された所定の曜日の所定の時間になると、１週間毎に集計した週間カラー印刷枚数に基づいて、平均カラー印刷枚数を算出し、この平均カラー印刷枚数とカラー印刷上限枚数を比較して、平均カラー印刷枚数がカラー印刷上限枚より小さい場合に、平均カラー印刷を枚数新たなカラー印刷上限枚数へ設定し、平均カラー印刷枚数がカラー印刷上限枚より大きく上回る場合に、カラー印刷上限枚に０．９倍を新たなカラー印刷上限枚として設定する。このように、ＣＰＵが、カラー印刷上限枚数を自動的に設定し直すことによって、モノクロ印刷よりも経費のかかるカラー印刷を使用を控える努力を毎週ユーザに促すことが出来る為、従来よりも画像形成における経費削減を効果的に行うことが出来る
【００３７】
以上、本発明の一実施形態について説明したが、本発明は上記実施形態に限定されることなく、例えば以下のような変形が考えられる。
（１）上記実施形態では、個人毎にカラー印刷上限枚数を設け、個人毎の週間カラー印刷枚数から算出した平均カラー印刷枚数と個人毎のカラー印刷上限を比較することによって、個人毎の新たなカラー印刷上限枚数を設定するようにしたが、本発明はこれに限定されない。
例えば、個人別ではなく、会社における部門、すなわちグループ毎にカラー印刷上限枚数を設け、グループ毎の週間カラー印刷枚数から算出した平均カラー印刷枚数とグループ毎のカラー印刷上限を比較することによって、グループ毎の新たなカラー印刷上限枚数を設定してもよい。
【００３８】
（２）上記実施形態では、カラー印刷上限枚数を１週間内の個人の上限枚数として設定し、１週間毎の個人毎のカラー印刷の枚数を週間カラー印刷枚数として集計しているが、本発明はこれに限定されない。
例えば、カラー印刷上限枚数を月毎の個人のカラー印刷の上限枚数として設定するようしもよいし、また月毎の個人のカラー印刷の枚数を月間カラー印刷枚数として集計するようにしてもよい。このように、カラー印刷上限枚数及びカラーの印刷枚数の期間は、１週間に限定されない。
【００３９】
さらに、ＣＰＵ１が、毎週予め設定された所定の曜日の所定の時間に、カラー印刷上限枚数の見直しを行うが、このカラー印刷上限枚数の見直しも、例えば月単位、また２週間単位で実行するようにしてもよい。すなわち、カラー印刷上限枚数を見直す間隔も、週単位に限定されない。
【００４０】
（３）上記実施形態では、複合機Ａが、印刷機能におけるカラー印刷上限枚数を設けて、カラー印刷の印刷枚数を制限するようしたが、本発明はこれに限定されない。
複合機Ａにおけるその他の画像形成、例えば複写機能におけるカラー複写上限枚数を設けて、個人識別用のカード等によって個人を識別し、個人のカラー複写の複写枚数を制限するようにしてもよい。すなわち、本発明は、印刷機能に限らず、複合機Ａにおけるあらゆる画像形成機能に適用することが出来る。
【００４１】
（４）上記実施形態では、クライアントコンピュータＣ‐１〜Ｃ‐１のＩＰアドレスによって、印刷指示を送信した個人を識別したが、本発明はこれに限定されない。
例えば、一般的に、クライアントコンピュータＣ‐１〜Ｃ‐１には、複合機Ａへ印刷指示を送信する為のドライバがインストールされており、この複合機Ａのドライバを利用して印刷を実行する際にユーザに個人ＩＤ及び個人パスワード等の個人識別情報を入力させて、複合機Ａがこの個人識別情報によって印刷指示を送信した個人を識別するようにしてもよい。
【００４２】
（５）上記実施形態では、ＣＰＵ１が、ＣＰＵが、カラー印刷を指示する印刷指示を受け付けた場合に、当該印刷指示によるカラー印刷によってカラー印刷上限枚数を超えてしまうと判断すると、強制的にカラー印刷上限枚を超える分はモノクロ画像を画像形成用紙へ画像形成部８に画像形成させているが、本発明はこれに限定されない。
【００４３】
クライアントコンピュータＣ‐１〜Ｃ‐１にインストールされているドライバに緊急カラー印刷ボタンを表示させ、カラー印刷上限枚数を超えるカラー印刷をどうじてもしなければならない場合に、この緊急カラー印刷ボタンを押下することによって、どうしてもしなければならないカラー印刷を許容するようにしてもよい。
【図面の簡単な説明】
【００４４】
【図１】本発明の一実施形態に係る複合機Ａによって構成される画像形成システムのシステム構成図である。
【図２】本発明の一実施形態に係る複合機Ａの機能ブロック図である。
【図３】本発明の一実施形態に係る複合機Ａの印刷動作を示すフローチャートである。
【図４】本発明の一実施形態に係る複合機Ａの上限枚数見直し動作を示すフローチャートである。
【符号の説明】
【００４５】
Ａ…複合機、Ｂ…ローカルエリアネットワーク、Ｃ‐１〜Ｃ‐ｎ…クライアントコンピュータ、１…ＣＰＵ、２…ＲＯＭ、３…ＲＡＭ、４…各種センサ群、５…用紙搬送部、６…画像読取部、７…画像データ記憶部、８…画像形成部、９…通信Ｉ／Ｆ部、１０…操作表示部、１０ａ…タッチパネル、１１…記憶部
【図１】
2010076348.tif 000003
【図２】
2010076348.tif 000004
【図３】
2010076348.tif 000005
【図４】
2010076348.tif 000006